(57)【要約】【課題】導電性フィルムを動かして積極的に除電を行うことにより高い除電効果が得られ、ゴミ、ケバ等の付着に伴う画質劣化を防止することができ、また製造コストを低く抑えることのできる光変調装置、光学装置及びプロジェクタを提供する。【解決手段】少なくとも液晶パネル４０Ｇを有する液晶パネル体７０Ｇを備えたパネルユニット５０Ｇであって、互いに隙間無く配置された複数の短冊部５１４を有する導電性フィルム５１０を、その複数の短冊部５１４が液晶パネル体７０Ｇの表面に位置するように配置し、導電性フィルム５１０が、液晶パネル体７０Ｇの面方向に流れる空気を受けた場合に液晶パネル体７０Ｇの表面から離れ、受けていた空気を受けなくなった場合に液晶パネル体７０Ｇの表面に戻るように構成した。【選択図】        図４
2004219573.tif 000002
【特許請求の範囲】
【請求項１】
少なくとも光変調素子を有する光変調素子体を備えた光変調装置であって、
互いに隙間無く配置された複数の短冊部を有する導電性フィルムを、前記複数の短冊部が前記光変調素子体の表面に位置するように配置し、該導電性フィルムが、前記光変調素子体の面方向に流れる空気を受けた場合に前記光変調素子体の表面から離れ、前記受けていた空気を受けなくなった場合に前記光変調素子体の表面に戻るように構成されてなることを特徴とする光変調装置。
【請求項２】
前記導電性フィルムを２枚備え、各導電性フィルムが、それぞれその前記複数の短冊部が前記光変調素子体の両表面にそれぞれ位置するように配置されてなることを特徴とする請求項１記載の光変調装置。
【請求項３】
前記光変調素子体は、前記光変調素子の入射側の表面に入射側防塵ガラスが貼着された構成を成し、前記導電性フィルムが、その前記複数の短冊部が前記入射側防塵ガラスの表面に位置するように配置されてなることを特徴とする請求項１記載の光変調装置。
【請求項４】
前記光変調素子体は、前記光変調素子の出射側の表面に出射側防塵ガラスが貼着された構成を成し、前記導電性フィルムが、その前記複数の短冊部が前記出射側防塵ガラスの表面に位置するように配置されてなることを特徴とする請求項１記載の光変調装置。
【請求項５】
前記光変調素子体は、前記光変調素子の入射側の表面に入射側防塵ガラスが貼着され、且つ、前記光変調素子の出射側の表面に出射側防塵ガラスが貼着された構成を成し、また、前記導電性フィルムを２枚備え、各導電性フィルムが、それぞれその前記複数の短冊部が前記入射側防塵ガラス表面及び前記出射側防塵ガラス表面にそれぞれ位置するように配置されてなることを特徴とする請求項１記載の光変調装置。
【請求項６】
前記光変調素子体を保持する保持枠を備え、前記導電性フィルムは、該導電性フィルムにおいて前記空気が流れる方向の下流側の端部が前記保持枠に貼着されてなることを特徴とする請求項１乃至請求項５の何れかに記載の光変調装置。
【請求項７】
前記導電性フィルムにおいて、前記空気が流れる方向の上流側の端部がＬ字状に折曲されてなることを特徴とする請求項１乃至請求項６の何れかに記載の光変調装置。
【請求項８】
前記光変調素子が、ＴＦＴ基板と該ＴＦＴ基板基板と対向する対向基板との間に液晶を封入してなる液晶パネルであることを特徴とする請求項１乃至請求項７の何れかに記載の光変調装置。
【請求項９】
ＲＧＢの各色に対応して３枚設けられた請求項１乃至請求項８の何れかに記載の光変調装置と、各光変調装置それぞれの出射側に配置される３枚の出射側偏光板と、該各出射側偏光板からの各色光束を合成するためのプリズム合成体とを備えたことを特徴とする光学装置。
【請求項１０】
プロジェクタ内部を冷却するためのファンと、請求項１乃至請求項８の何れかに記載の光変調装置とを備え、該光変調装置が、前記ファンによる冷却用空気が流れる流路内に、冷却用空気の流れる方向と前記光変調素子体の面方向がほぼ平行となるような状態で配置されてなることを特徴とするプロジェクタ。
【発明の詳細な説明】
【０００１】
【発明の属する技術分野】
本発明は、光変調装置、光学装置及びプロジェクタに関する。さらに詳しくは、光変調装置内に設けられた液晶パネル等の光変調素子表面に帯電した静電気を除去する機能を備えた光変調装置、光学装置及びプロジェクタに関する。
【０００２】
【従来の技術】
従来より、プロジェクタには、液晶パネルを冷却するためのファンが設けられており、ファンからの冷却用空気を液晶パネル表面に吹き付けることで液晶パネルを冷却するようにしている。この冷却方法を用いた場合、液晶パネルの表面に帯電した静電気により、冷却用空気内に含まれるゴミ、ケバ等が液晶パネルの表面に付着して投写画像の劣化を生じさせるという問題が生じる。この問題を解決する技術として、液晶パネルの略表面全体を透明導電性膜で覆い、この透明導電性膜をアースすることで、透明導電性膜の表面における静電気を取り除き、静電気の帯電に起因した液晶パネル上におけるダストの付着を低減させるようにした液晶表示装置がある（例えば、特許文献１参照）。
【０００３】
【特許文献１】
特開２０００−１４７４７０号公報
【０００４】
【発明が解決しようとする課題】
しかしながら、このような上記従来の液晶表示装置では、液晶パネルの略表面全体を透明導電性膜でコーティングする工程が必要となるため、製造工程が煩雑化し、また、このコーティングに際しては真空蒸着やスパッタリングが用いられることから、処理時間を要するとともに、製造設備コストが増大化してしまい、コスト高となる問題があった。また、従来の除電方法は、積極的に除電を行うのではなく、アースされる透明導電性膜を液晶パネルにコーティングしておくという、いわば受動的な除電であるため、除電効果が期待されるほど高くなく、よって、ゴミ、ケバ等の付着に伴う画質の劣化を十分に阻止できないという問題があった。
【０００５】
本発明は、このような点に鑑みなされたもので、導電性フィルムを動かして積極的に除電を行うことにより高い除電効果が得られ、ゴミ、ケバ等の付着に伴う画質劣化を防止することができ、また製造コストを低く抑えることのできる光変調装置および該光変調装置を備えたプロジェクタを提供することを目的とする。
【０００６】
【課題を解決するための手段】
本発明に係る光変調装置は、少なくとも光変調素子を有する光変調素子体を備えた光変調装置であって、互いに隙間無く配置された複数の短冊部を有する導電性フィルムを、複数の短冊部が光変調素子体の表面に位置するように配置し、導電性フィルムが、光変調素子体の面方向に流れる空気を受けた場合に光変調素子体の表面から離れ、受けていた空気を受けなくなった場合に光変調素子体の表面に戻るように構成されてなるものである。このように、導電性フィルムを動かして光変調素子体の表面から積極的に除電を行うようにしたため、高い除電効果を得ることができる。このため、静電気の帯電によって光変調素子体表面に付着したゴミ、ケバ等を除去することができ、よって、ゴミ、ケバ等の付着に伴う画質の劣化を防止することが可能となる。また、非常に簡単な構成であるため、製造コストを低く抑えることが可能となる。
【０００７】
また、本発明に係る光変調装置は、上記導電性フィルムを２枚備え、各導電性フィルムが、それぞれその複数の短冊部が光変調素子体の両表面にそれぞれ位置するように配置されてなるものである。これにより、光変調素子体の両表面から静電気を除去してゴミ、ケバ等を除去することができる。このため、画質劣化防止効果が非常に高く、良好な画像を提供することが可能となる。
【０００８】
また、本発明に係る光変調装置は、上記光変調素子体が、光変調素子の入射側の表面に入射側防塵ガラスが貼着された構成を成し、導電性フィルムが、その複数の短冊部が入射側防塵ガラスの表面に位置するように配置されてなるものである。これにより、入射側防塵ガラスの表面から、静電気の帯電によるゴミ、ケバ等を除去することができる。
【０００９】
また、本発明に係る光変調装置は、上記光変調素子体が、光変調素子の出射側の表面に出射側防塵ガラスが貼着された構成を成し、導電性フィルムが、その複数の短冊部が出射側防塵ガラスの表面に位置するように配置されてなるものである。これにより、出射側防塵ガラスの表面から、静電気の帯電によるゴミ、ケバ等を除去することができる。
【００１０】
また、本発明に係る光変調装置は、上記光変調素子体が、光変調素子の入射側の表面に入射側防塵ガラスが貼着され、且つ、光変調素子の出射側の表面に出射側防塵ガラスが貼着された構成を成し、また、導電性フィルムを２枚備え、各導電性フィルムが、それぞれその複数の短冊部が入射側防塵ガラス表面及び出射側防塵ガラス表面にそれぞれ位置するように配置されてなるものである。これにより、入射側防塵ガラス及び出射側防塵ガラスの表面から、静電気の帯電によるゴミ、ケバ等を除去することができる。
【００１１】
また、本発明に係る光変調装置は、上記光変調素子体を保持する保持枠を備え、導電性フィルムが、導電性フィルムにおいて空気が流れる方向の下流側の端部が保持枠に貼着されてなるものである。このように貼着されることで、導電性フィルムが光変調素子体の面方向に流れる空気を受けた場合に光変調素子体の表面から離れ、受けていた空気を受けなくなった場合に光変調素子体の表面に戻るようになる。
【００１２】
また、本発明に係る光変調装置は、上記導電性フィルムにおいて、空気が流れる方向の上流側の端部がＬ字状に折曲されてなるものである。これにより、空気流に対する抵抗が増して導電性フィルムが吹き上げられやすくなる。
【００１３】
また、本発明に係る光変調装置は、光変調素子が、ＴＦＴ基板とＴＦＴ基板基板と対向する対向基板との間に液晶を封入してなる液晶パネルであるものである。このように、光変調素子として、防塵ガラスを貼り付けたＴＦＴ基板とＴＦＴ基板と対向する対向基板との間に液晶を封止対向基板とＴＦＴ基板との間に液晶を封入した構成のものを用いることができ、除電部材により防塵ガラスの表面から静電気を除去できるため、ゴミ、ケバ等の付着に伴う画質の劣化防止をより確実に行うことができる。
【００１４】
本発明に係る光学装置は、ＲＧＢの各色に対応して３枚設けられた上記の光変調装置と、各光変調装置それぞれの出射側に配置される３枚の出射側偏光板と、各出射側偏光板からの各色光束を合成するためのプリズム合成体とを備えたものである。このように、上記の光変調装置を備えることにより、ゴミ、ケバ等の付着に伴う画質の劣化が防止され、良好な画像を提供することが可能となる。
【００１５】
本発明に係るプロジェクタは、プロジェクタ内部を冷却するためのファンと、上記の光変調装置とを備え、光変調装置が、ファンによる冷却用空気が流れる流路内に、冷却用空気の流れる方向と光変調素子体の面方向がほぼ平行となるような状態で配置されてなるものである。これにより、ゴミ、ケバ等の付着による投写画像の画質悪化を防止することができ、良好な投写画像を提供することが可能となる。
【００１６】
【発明の実施の形態】
実施の形態１．
次に、本発明の好適な実施例について、本発明に係る光変調装置を適用したプロジェクタを例に、添付図面を参照しながら説明する。
【００１７】
図１には、本発明に係る光変調装置を適用したプロジェクタの外観図を示してある。本例のプロジェクタ１の外装ケース２は直方体形状をしている。この外装ケース２は、基本的には、アッパーケース３と、ロアーケース４と、装置前面を規定しているフロントケース５から構成されている。そして、フロントケース５の中央からは投写レンズユニット６の先端側の部分が突出している。
【００１８】
図２には、プロジェクタ１の外装ケース２の内部における各構成部分の配置を示してある。この図に示すように、外装ケース２の内部において、その後端側には電源ユニット７が配置されている。これよりも装置前側に隣接した位置には、光源ランプユニット８および光学ユニット９が配置されている。さらに、光学ユニット９の前側の中央には、投写レンズユニット６の基端側が位置している。
【００１９】
一方、光学ユニット９の一方の側には、装置前後方向に向けて入出力インタフェース回路が搭載されたインタフェース基板１１が配置され、これに平行に、ビデオ信号処理回路が搭載されたビデオ基板１２が配置されている。さらに、光源ランプユニット８および光学ユニット９の上側には、装置駆動制御用の制御基板１３が配置され、装置前端側の左右の角には、それぞれスピーカ１４Ｒ，１４Ｌが配置されている。
【００２０】
光学ユニット９の上方及び下方には装置内部冷却用の吸気ファン１５Ａ，１５Ｂが配置されている。また、光源ランプユニット８の裏面側である装置側面には排気ファン１６が配置されている。そして、電源ユニット７における基板１１，１２の端に面する位置には、吸気ファン１５Ａからの冷却用空気流を電源ユニット７内に吸引するための補助冷却ファン１７が配置されている。
【００２１】
これらのファンのうち、ファン１５Ｂは、吸い込んだ空気を上方に向けて送風し、後述する光変調装置５０Ｒ，５０Ｇ，５０Ｂに吹き付けることでこれら光変調装置５０Ｒ，５０Ｇ，５０Ｂにそれぞれ備えられた光変調素子体としての液晶パネル体７０Ｒ，７０Ｇ，７０Ｂを冷却する冷却用のファンとして主に機能している。
【００２２】
以下、図３に基づき光学ユニット９および光学系の構成について説明する。
【００２３】
図３（Ａ）には、光学ユニット９の部分を示してある。この図に示すように、光学ユニット９は、その色合成手段を構成しているプリズムユニット２０以外の光学素子が上下のライトガイド９０１，９０２の間に上下から挟まれて保持された構成となっている。上ライトガイド９０１および下ライトガイド９０２は、それぞれ、アッパーケース３およびロアーケース４の側に固定ねじにより固定されている。また、これらの上下のライトガイド９０１，９０２は、プリズムユニット２０の側に同じく固定ねじによって固定されている。
【００２４】
プリズムユニット２０は、ダイキャスト板である厚手のヘッド板３０の裏面に固定ねじによって固定されている。このヘッド板３０の前面には、投写手段としての投写レンズユニット６の基端側が同じく固定ねじによって固定されている。したがって、本例では、ヘッド板３０を挟み、プリズムユニット２０と投写レンズユニット６とが一体となるように固定された構造となっている。
【００２５】
図３（Ｂ）には、プロジェクタ１に組み込まれている光学系の概略構成を示してある。本例の光学系は、光源ランプ８０５と、均一照明光学素子であるインテグレータレンズ９２１，９２２を有する均一照明光学系９２３と、この照明光学系９２３から出射される光束Ｗを、赤、緑、青の各色光束Ｒ、Ｇ、Ｂに分離する色分離光学系９２４と、各色光束を画像信号に基づいて変調し、変調された色光束を合成する光学装置１００と、合成された光束を投写面上に拡大投写する投写レンズユニット６とから構成される。また、色分離光学系９２４によって分離された各色光束のうち、青色光束Ｂを対応する液晶パネル体７０Ｂに導くリレー光学系９２７を有している。
【００２６】
均一照明光学系９２３は、さらに、反射ミラー９３１を備えており、光源ランプ８０５からの出射光の光軸１ａを装置前方向に向けて直角に折り曲げるようにしている。このミラー９３１を挟み、インテグレータレンズ９２１，９２２が前後に直交する状態に配置されている。
【００２７】
色分離光学系９２４は、青緑反射ダイクロイックミラー９４１と、緑反射ダイクロイックミラー９４２と、反射ミラー９４３から構成される。まず、青緑反射ダイクロイックミラー９４１において、均一照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、このミラー９４１を通過して、後方の反射ミラー９４３で直角に反射されて、赤色光束の出射部９４４から色合成光学系の側に出射される。次に、緑反射ダイクロイックミラー９４２において、ミラー９４１において反射された青および緑の光束Ｂ、Ｇのうち、緑色光束Ｇのみが直角に反射されて、緑色光束の出射部９４５から色合成光学系の側に出射される。このミラー９４２を通過した青色光束Ｂは、青色光束の出射部９４６からリレー光学系９２７の側に出射される。本例では、均一照明光学素子の光束の出射部から、色分離光学系９２４における各色光束の出射部９４４，９４５，９４６までの距離が全てほぼ等しくなるように設定されている。
【００２８】
色分離光学系９２４の赤色光束及び緑色光束の出射部９４４，９４５の出射側には、それぞれ集光レンズ９５１，９５２が配置されている。したがって、各出射部から出射した赤色光束及び緑色光束は、これらの集光レンズ９５１，９５２に入射して平行化される。
【００２９】
平行化された赤色および緑色の光束Ｒ、Ｇは、入射側偏光板６０Ｒ，６０Ｇによって偏光方向が揃えられた後、光学装置１００に入射される。
【００３０】
光学装置１００は、各色光束を変調する光変調素子体としての液晶パネル体７０Ｒ，７０Ｇ，７０Ｂをそれぞれ有する本発明の特徴部分である３枚の光変調装置５０Ｒ，５０Ｇ，５０Ｂ（詳しい構成については以下に詳述する）と、各光変調装置５０Ｒ，５０Ｇ，５０Ｂそれぞれの出射側に配置された３枚の出射側偏光板６１Ｒ，６１Ｇ，６１Ｂと、該各出射側偏光板６１Ｒ，６１Ｇ，６１Ｂからの各色光束を合成するためのプリズム合成体２２とから構成されている。ここで、集光レンズ９５１，９５２によって平行化された赤色および緑色の光束Ｒ、Ｇは、入射側偏光板６０Ｒ，６０Ｇによって偏光方向が揃えられた後、光学装置１００の液晶パネル体７０Ｒ，７０Ｇに入射して変調され、各色光に対応した画像情報が付加される。すなわち、これらの液晶パネル体７０Ｒ，７０Ｇは、図示していない駆動手段によって画像情報に対応する画像信号によってスイッチング制御され、これにより、ここを通過する各色光の変調が行われる。このような駆動手段は、公知の手段をそのまま使用することができる。
【００３１】
一方、青色光束Ｂは、リレー光学系９２７を介し、さらに、入射側偏光板６０Ｂによって偏光方向が揃えられた後、対応する液晶パネル体７０Ｂに導かれて、ここにおいて、同様に画像情報に応じて変調が施される。
【００３２】
リレー光学系９２７は、集光レンズ９７４と入射側反射ミラー９７１と、出射側反射ミラー９７２と、これらのミラー間に配置した中間レンズ９７３と、液晶パネル体７０Ｂの手前側に配置した集光レンズ９５３から構成される。各色光束の光路の長さ、すなわち、光源ランプ８０５から各液晶パネルまでの距離は、青色光束Ｂが最も長くなり、したがって、この光束の光量損失が最も多くなる。しかし、リレー光学系９２７を介在させることにより、光量損失を抑制できる。
【００３３】
各液晶パネル体７０Ｒ，７０Ｇ，７０Ｂを通って変調された各色光束は、出射側偏光板６１Ｒ，６１Ｇ，６１Ｂに入射し、これを透過した光がプリズム合成体２２に入射され、ここで合成される。本例では、ダイクロイックプリズムからなるプリズム合成体２２を用いて色合成光学系を構成している。ここで合成されたカラー画像は、投写レンズユニット６を介して、所定の位置にある投写面１０上に拡大投写される。
【００３４】
次に、本発明の特徴部分である光変調装置５０Ｒ，５０Ｇ，５０Ｂに関して説明する。
【００３５】
図４は本発明の実施の形態１の光変調装置を入射面側から見た斜視図、図５は本発明の実施の形態１の光変調装置を出射面側から見た斜視図、図６は、図４の光変調装置の分解斜視図、図７は図４の光変調装置の断面図である。なお、光変調装置５０Ｒ，５０Ｇ，５０Ｂは同じ構成であるため、以下では、光変調装置５０Ｇを例として説明をする。
【００３６】
光変調装置５０Ｇは、ほぼ矩形状のフレーム５００内に、光変調素子体としての液晶パネル体７０Ｇが収納され、その外側（出射面側）から、入射面側に凸に湾曲した板状バネ部材５２０の左右端部の枠状部５２１がフレーム５００に設けられたフック５０１に係合することで各構成部材が一体的に結合された構成となっている。なお、フレーム５００と板状バネ部材５２０とにより光変調素子体（液晶パネル体）を保持するための保持枠が構成されている。
【００３７】
フレーム５００は、その中央部に光通過用の開口部５０２が形成されており、フレーム５００内に収納される液晶パネル体７０Ｇの入射面が、この開口部５０２から露呈されるようになっている。また、フレーム５００の四隅には、光変調装置５０Ｇを図示しない固定部材を介してプリズム合成体２２（図３（Ｂ）参照）にネジ固定するためのネジ穴５０４が螺設されている。なお、光変調装置５０Ｇとプリズム合成体２２との固定構造は本発明の本質とは関係ないため詳しい説明は省略する。
【００３８】
液晶パネル体７０Ｇは、光変調素子としての液晶パネル４０Ｇから構成され、この液晶パネル４０Ｇは、本例ではＴＦＴ基板４２とこのＴＦＴ基板４２に対向する対向基板４４との間に図示しない液晶を封入した構成のものを用いている。対向基板４４とＴＦＴ基板４２との間の上部から上方に向けては、配線用のフレキシブルケーブル４１Ｇが延びている。
【００３９】
板状バネ部材５２０は、その中央部に光通過用の開口部５２２が形成されており、フレーム５００内に収納される液晶パネル体７０Ｇの出射面が、この開口部５０２から露呈されるようになっている。
【００４０】
また、図において、５１０は、液晶パネル体７０Ｇの入射側表面に帯電した静電気を除去するための導電性フィルムである。導電性フィルム５１０は、ほぼ矩形形状を成し、フレーム５００の開口部５０２とほぼ同程度の左右方向の幅を有すると共に、フレーム５００の開口部５０２の上下方向の長さよりもやや長い長さを有している。そして、フィルム端辺ここではフィルム下端辺から略平行に複数の切り込み５１２が入れられて、互いに隙間無く配置された構成の複数の短冊部５１４が形成されており、その先端部（ファン１５Ｂからの冷却用空気が流れる方向の上流側の端部に相当）はＬ字状に折曲されている。
【００４１】
このように構成された導電性フィルム５１０は、その上端部（ファン１５Ｂからの冷却用空気が流れる方向の下流側の端部に相当）がフレーム５００の開口部５０２の上方側縁部に貼着されている。また、図７に示すようにフレーム５００の開口部５０２の内側面に沿って折曲され、短冊部５１４が液晶パネル体７０Ｇの入射側表面に接触するように配置されている。このように配置された導電性フィルム５１０は、ファン１５Ｂからの冷却用空気（液晶パネル体７０Ｇの面方向に流れる空気）を受けた場合に上方に吹き上げられて液晶パネル体７０Ｇの入射側表面から離れ、冷却用空気の送風が停止された場合に液晶パネル体７０Ｇの入射側表面に戻ることになる。なお、導電性フィルム５１０の複数の短冊部５１４の先端部（図示下端部）がＬ字状に折曲されていることから空気抵抗が増して上方に吹き上げられやすいようになっている。ここで、導電性フィルム５１０には、具体的には例えば導電性高分子複合ＰＥＴ（ポリエチレンテレフタレート）フィルムが用いられる。
【００４２】
また、図において、５３０は、液晶パネル体７０Ｇの出射側表面に帯電した静電気を除去するための導電性フィルムで、前述の導電性フィルム５１０と同様に例えば導電性高分子複合ＰＥＴフィルムで構成されるものである。導電性フィルム５３０は、ほぼ矩形形状を成し、板状バネ部材５２０の開口部５２２とほぼ同程度の左右方向の幅を有すると共に、板状バネ部材５２０の開口部５２２の上下方向の長さよりもやや長い長さを有している。そして、フィルム端辺ここではフィルム下端辺から略平行に複数の切り込み５３２が入れられて、互いに隙間無く配置された構成の複数の短冊部５３４が形成されており、その先端部（ファン１５Ｂからの冷却用空気が流れる方向の上流側の端部に相当）は導電性フィルム５１０と同様にＬ字状に折曲され、空気抵抗が増して上方に吹き上げられやすいようになっている。
【００４３】
このように構成された導電性フィルム５３０は、その上端部（ファン１５Ｂからの冷却用空気が流れる方向の下流側の端部に相当）が板状バネ部材５２０の開口部５２２の上方側縁部に貼着されている。また、図７に示すように板状バネ部材５２０の開口部５２２の内側面に沿って折曲され、短冊部５３４が液晶パネル体７０Ｇの出射側表面に接触するように配置されている。このように配置された導電性フィルム５１０は、ファン１５Ｂからの冷却用空気（液晶パネル体７０Ｇの面方向に流れる空気）を受けた場合に上方に吹き上げられて液晶パネル体７０Ｇの出射側表面から離れ、冷却用空気の送風が停止された場合に液晶パネル体７０Ｇの出射側表面に戻ることになる。
【００４４】
以上のように構成された光変調装置５０Ｇは、図３（２）に示されているように、ファン１５Ｂによる冷却用空気が上方に向けて流れる流路内に、冷却用空気の流れる方向と液晶パネル４０Ｇの面方向とがほぼ平行となるような状態でプロジェクタ１内に配置されている。そして、プロジェクタ１の電源（図示せず）がＯＦＦされている間、導電性フィルム５１０，５３０は液晶パネル体７０Ｇの両表面に位置している。この状態において液晶パネル体７０Ｇの両表面に帯電した静電気を集電し、大気中に放電することで除電を行っている。これにより、液晶パネル体７０Ｇの表面に付着したゴミ、ケバ等が除去される。
【００４５】
そして、プロジェクタ１の電源（図示せず）がＯＮされてファン１５Ｂが駆動されると、ファン１５Ｂからの冷却用空気により導電性フィルム５１０，５３０は図８に示すように吹き上げられる。ファン１５Ｂの駆動中は、導電性フィルム５１０，５３０は常に図８に示すように吹き上げられた状態にあり、液晶パネル体７０Ｇの投写有効エリアから外れて、すなわち光が通過するエリアから外れて、投写される画像に影響を及ぼさないようになっている。また、導電性フィルム５１０，５３０にゴミ、ケバ等が付着してしまった場合でも、このようにファン１５Ｂからの冷却用空気によって吹き上げられることで、フィルムに付着したるゴミ、ケバ等を吹き飛ばして外部へ吐き出すことができるようになっている。
【００４６】
そして、プロジェクタ１の電源（図示せず）がＯＦＦされてファン１５Ｂの駆動が停止されると、導電性フィルム５１０，５３０は、図７に示した位置に戻ろうとする。このとき、導電性フィルム５１０，５３０が液晶パネル体７０Ｇの表面近傍に近寄ることで、液晶パネル体７０Ｇの表面に帯電した静電気が導電性フィルム５１０，５３０を通じて瞬発的に逃がされる。これにより、液晶パネル４０Ｇの表面のゴミ、ケバ等が除去される。そして、導電性フィルム５１０，５３０が図７に示す位置に戻る過程で、また、図７に示す位置に戻って停止した状態において、先の瞬発的な除電によって除去しきれなかった静電気が除々に導電性フィルム５１０，５３０を介して大気中に逃される。これにより、先の瞬発的な除電によって除去しきれなかった静電気によるゴミ、ケバ等も除去することができる。
【００４７】
以上に説明したように、本実施の形態１によれば、液晶パネル体７０Ｇの表面に位置していた導電性フィルム５１０，５３０の短冊部５１４，５３４が、ファン１５Ｂからの冷却用空気によって液晶パネル体７０Ｇの表面から離れ、ファン１５Ｂが停止されて冷却用空気がなくなった場合に液晶パネル体７０Ｇ表面に戻るように構成したので、すなわち、導電性フィルム５１０，５３０の短冊部５１４，５３４を移動させて液晶パネル体７０Ｇ表面から積極的に除電を行うようにしたため、高い除電効果を得ることができる。このため、静電気の帯電によって液晶パネル体７０Ｇ表面に付着したゴミ、ケバ等を除去することができ、よって、ゴミ、ケバ等の付着に伴う画質の劣化を防止することが可能となる。
【００４８】
また、本発明は、複数の短冊部５１４，５３４を有する導電性フィルム５１０，５３０を液晶パネル体７０Ｇの表面に配置したという非常に単純な構成であるため、低コストで製造することが可能となる。
【００４９】
また、本実施の形態１においては、液晶パネル体７０Ｒの両表面にそれぞれ導電性フィルム５１０，５３０を配置し、液晶パネル体７０Ｒの両表面から静電気を除去してゴミ、ケバ等を除去するようにしたため、画質劣化防止効果が非常に高く、良好な画像を提供することができる。なお、必ずしも液晶パネル体７０Ｒの両表面に導電性フィルム５１０，５３０を設けなくても良く、少なくとも一方の面に設けられていれば、本発明の作用効果を有するものとして、本発明の実施形態に含まれるものとみなす。
【００５０】
以上のように構成された光変調装置５０Ｒ，５０Ｇ，５０Ｂを備えた光学装置１００、プロジェクタ１は、液晶パネル体７０Ｒ，７０Ｇ，７０Ｂの表面に付着したゴミ、ケバ等が、ファン１５ＢのＯＮ時、ＯＦＦ時に導電性フィルム５１０、５３０によって積極的に除去されるため、ゴミ、ケバ等が付着による投写画像の画質悪化が防止されて良好な投写画像を提供することができるものとなる。
【００５１】
なお、本実施の形態１では、導電性フィルム５１０，５３０が液晶パネル体７０Ｇの表面に接触するように配置されているとしたが、必ずしも接触していなくとも良く、除電効果が得られれば多少離間していても良い。
【００５２】
実施の形態２．
図９は、本発明の実施の形態２の光変調装置の分解斜視図、図１０は図９の光変調装置の断面図である。
本実施の形態２の光変調装置５００Ｇは、実施の形態１の液晶パネル体７０Ｇに代えて、液晶パネル４０Ｇの入射側の表面に入射側防塵ガラス６００が貼着され、且つ、出射側の表面に出射側防塵ガラス６１０が貼着された構成を有する液晶パネル体７００Ｇを備えるようにしたものである。その他の構成は実施の形態１と同様である。
【００５３】
入射側防塵ガラス６００は、液晶パネル４０Ｇの対向基板４４と外形形状がほぼ同じに設定されており、液晶パネル４０Ｇの入射側の表面に貼着固定されて液晶パネル４０Ｇの入射側の表面に塵埃などが付着するのを防止するものである。また、仮に入射側防塵ガラス６００自身の入射側表面に塵埃などが付着してしまった場合でも、液晶パネル４０Ｇの液晶面との距離を大きくすることで、投写される映像に影響が及ばないようにしたものである。
【００５４】
出射側防塵ガラス６１０は、液晶パネル４０ＧのＴＦＴ基板４２と外形形状がほぼ同じに設定されており、液晶パネル４０Ｇの出射側の表面に貼着固定されて液晶パネル４０Ｇの出射側の表面に塵埃などが付着するのを防止するものである。また、仮に出射側防塵ガラス６１０自身の出射側表面に塵埃などが付着してしまった場合でも、液晶パネル４０Ｇの液晶面との距離を大きくすることで、投写される映像に影響が及ばないようにしたものである。
【００５５】
このように構成された光変調装置５００Ｇにおいては、液晶パネル体７００Ｇの表面、具体的には入射側防塵ガラス６００及び出射側防塵ガラス６１０の表面に帯電した静電気を除去して、これら表面に付着したゴミ、ケバ等を除去することができる。
【００５６】
本実施の形態２は、実施の形態１とほぼ同様の作用及び効果を有するとともに、仮に、導電性フィルム５１０，５３０による静電気除去によって液晶パネル体７００Ｇの表面から完全にゴミ、ケバ等を除去できず、ゴミ、ケバ等が残ってしまった場合でも、液晶パネル４０Ｇの表面に入射側防塵ガラス６００、出射側防塵ガラス６１０が貼着されていることで、ゴミ、ケバ等が表示画像に与える悪影響を格段に抑えることが可能となる。
【００５７】
以上のように構成された光変調装置５００Ｒ（図示しないが、光変調装置５００Ｇと同様の構成である），５００Ｇ，５００Ｂ（図示しないが、光変調装置５００Ｇと同様の構成である）を備えた光学装置１００、プロジェクタ１は、液晶パネル体７００Ｒ（図示しないが、液晶パネル体７００Ｇと同様の構成である），７００Ｇ，７００Ｂ（図示しないが、液晶パネル体７００Ｇと同様の構成である）の表面に付着したゴミ、ケバ等が、ファン１５ＢのＯＮ時、ＯＦＦ時に導電性フィルム５１０、５３０によって積極的に除去されるため、ゴミ、ケバ等が付着による投写画像の画質悪化が防止されて良好な投写画像を提供することができるものとなる。
【００５８】
なお、上記各実施の形態では、透過型の液晶パネルを用いたプロジェクタに本発明を適用した場合の例について説明したが、本発明は、反射型の液晶パネルを用いたプロジェクタにも適用することが可能である。また、後述のように、光変調素子は液晶パネルに限定されない。ここで、「透過型」とは、液晶パネル等の光変調素子が光を透過するタイプであることを意味しており、「反射型」とは液晶パネル等の光変調素子が光を反射するタイプであることを意味している。
【００５９】
反射型の光変調素子を採用したプロジェクタでは、プリズム合成体２２のようなダイクロイックプリズムが、光を赤、緑、青の三色の光に分離する光分離手段として利用されると共に、変調された三色の光を合成して同一の方向に出射する光合成手段としても利用されることがある。また、光変調素子と色合成手段との間に偏光ビームスプリッタが配置されることもある。後者の場合には、この偏光ビームスプリッタの面に光変調素子を固定する構成に、本発明を適用することが可能である。反射型のプロジェクタにこの発明を適用した場合にも、透過型のプロジェクタとほぼ同様な効果を得ることができる。
【００６０】
また、光変調素子としてここでは液晶パネルを例に挙げて説明してきたが、液晶パネルに限られず、例えば、マイクロミラーを用いた装置や、ＣＣＤ（電荷結合素子）であっても良い。
また、プリズムは、プリズム合成体２２のように、４つの三角柱状プリズムの接着面に沿って二種類の色選択面が形成されたダイクロイックプリズムに限られず、色選択面が一種類のダイクロイックプリズムや、偏光ビームスプリッタであっても良い。その他、プリズムは、略六面体状の光透過性の箱の中に光選択面を配置し、そこに液体を充填したようなものであっても良い。
【００６１】
さらに、投写型のプロジェクタとしては、投写像を観察する方向から投写を行う前面プロジェクタと、投写像を観察する方向とは反対側から投写を行う背面プロジェクタとがあるが、上記実施の形態で示した構成は、そのいずれにも適用可能である。
【００６２】
また、上記各実施の形態では、３つの液晶パネルを用いたいわゆる３板方式のプロジェクタにおいて本発明の光変調装置を適用した場合を例に示したが、液晶パネルを２枚又は４枚用いた２板方式又は４板方式のプロジェクタにも適用可能である。
【図面の簡単な説明】
【図１】本発明のプロジェクタの外観を示す図。
【図２】図１の外装ケースの内部における各構成部分の配置を示す図。
【図３】（Ａ）光学レンズユニットと投写レンズユニットの部分を取り出して示す図、（Ｂ）光学系の概略構成図。
【図４】実施の形態１の光変調装置の入射面側から見た斜視図。
【図５】実施の形態１の光変調装置を出射面側から見た斜視図。
【図６】図４の光変調装置の分解斜視図。
【図７】図４の光変調装置の断面図。
【図８】導電性フィルムが吹き上げられた状態を示す図。
【図９】実施の形態２の光変調装置の分解斜視図。
【図１０】実施の形態２の光変調装置の断面図。
【符号の説明】
１  プロジェクタ、４０Ｒ，４０Ｇ，４０Ｂ  液晶パネル、４２  ＴＦＴ基板、４４  対向基板、５０Ｒ，５０Ｇ，５０Ｂ，５００Ｇ  光変調装置、７０Ｒ，７０Ｇ，７０Ｂ，７００Ｇ  液晶パネル体、１００  光学装置、５００  フレーム、５１０  導電性フィルム、５１４，５３４  短冊部、５２０  板状バネ部材、６００  入射側防塵ガラス、６１０  出射側防塵ガラス
【図１】
2004219573.tif 000003
【図２】
2004219573.tif 000004
【図３】
2004219573.tif 000005
【図４】
2004219573.tif 000006
【図５】
2004219573.tif 000007
【図６】
2004219573.tif 000008
【図７】
2004219573.tif 000009
【図８】
2004219573.tif 000010
【図９】
2004219573.tif 000011
【図１０】
2004219573.tif 000012